(57)【要約】【課題】  ファイルの並べ替えの際、ユーザが、どのファイルがどの位置に挿入されるかを正確に知ることができ、直感的で分かりやすい操作を行えるようにすることを目的とする。【解決手段】  画像ファイルのサムネール画像を並べて表示し、その中から第１及び２のサムネール画像を選択する。また、第１のサムネール画像の周囲に挿入位置を表示する。そして、表示された位置の中からいずれかを選択する。選択された位置に第２のサムネール画像が表示されるようにサムネール画像を並べ替えて表示しなおす。【選択図】  図７
2008097435.tif 000002
【特許請求の範囲】
【請求項１】
画像ファイルのサムネール画像を並べて表示する画像表示手段と、
前記表示された中から第１のサムネール画像を選択する第１の画像選択手段と、
前記表示された中から第２のサムネール画像を選択する第２の画像選択手段と、
前記第１のサムネール画像の周囲に挿入可能な位置を表示する位置表示手段と、
前記表示された中からいずれかの位置を選択する位置選択手段と、
前記第２のサムネール画像を前記選択された位置に表示する並べ替え表示手段を備えたことを特徴とする画像表示装置。
【請求項２】
画像ファイルを挿入可否情報と対応付けて記憶する画像記憶手段をさらに備え、
前記アイコン表示手段は、前記第１の画像ファイルの挿入可否情報に応じた状態で位置を表示し、
前記位置選択手段は、前記挿入可否情報に応じて挿入可能を示す状態で表示された中から位置を選択することを特徴とする請求項１記載の画像表示装置。
【請求項３】
画像ファイルを挿入可否情報と対応付けて記憶する画像記憶手段をさらに備え、
隣り合う画像ファイルの挿入可否情報が異なる場合、前記位置表示手段は挿入不可能を示す状態で位置を表示することを特徴とする請求項１記載の画像表示装置。
【請求項４】
前記画像表示手段は、前記並べ替え指示に応答し、表示サイズを小さくしてサムネール画像を表示し直すことを特徴とする請求項１記載の画像表示装置。
【請求項５】
画像ファイルを順序情報と対応付けて記憶する画像記憶手段と、
前記選択された位置にしたがって、前記画像ファイルの順序情報を更新する更新手段をさらに備えたことを特徴とする請求項１記載の画像表示装置。
【請求項６】
画像ファイルのサムネール画像を並べて表示するステップと、
前記表示された中から第１のサムネール画像を選択するステップと、
前記表示された中から第２のサムネール画像を選択するステップと、
前記第１のサムネール画像の周囲に挿入可能な位置を表示するステップと、
前記表示された中からいずれかの位置を選択するステップと、
前記第２のサムネール画像が前記選択された位置になるよう並べ替えて表示するステップを備えたことを特徴とする画像表示方法。
【請求項７】
コンピュータに、
画像ファイルのサムネール画像を並べて表示するステップと、
前記表示された中から第１のサムネール画像を選択するステップと、
前記表示された中から第２のサムネール画像を選択するステップと、
前記第１のサムネール画像の周囲に挿入可能な位置を表示するステップと、
前記表示された中からいずれかの位置を選択するステップと、
前記第２のサムネール画像が前記選択された位置になるよう並べ替えて表示するステップを実行させることを特徴とするプログラム。
【発明の詳細な説明】
【技術分野】
【０００１】
本発明は、ディスプレイに一覧表示された画像の順序を並べ替えるための画像編集装置、画像編集方法及びそのプログラムに関するものである。
【背景技術】
【０００２】
ユーザは様々な機器上で、アイコンやサムネールで示された画像などのファイルの順序を並べ替えることがある。例えば、ユーザはマウス等のポインティングデバイスを使って、ドラッグアンドドロップの操作によるファイルの並べ替えを行っている。また、ドラッグしてマウスカーソルが移動されたときに、その場所に対象物を移動可能か否かがマウスカーソルの形状を変化させることで表すことが行われていた（例えば特許文献１参照）。
【０００３】
しかし、カーソルキーのユーザインターフェイスしか持たないような小型機器では、このポインティングデバイスを使ったドラッグアンドドロップによるファイルの並べ替えをできなかった。
【０００４】
そこで、例えば、ユーザはファイルを並べ替えたい順番に選択し直したり、各ファイルに順番を付与したりしていた。あるいは、一覧表示で、移動対象となるファイルを選択し、その後、移動先のファイルを指定することで並べ替えを行っていた。
【特許文献１】特開平１１−３２７７２１号公報
【発明の開示】
【発明が解決しようとする課題】
【０００５】
しかしながら、ドラッグアンドドロップの方法でも、ファイルが移動先に移動可能か否かは、ファイルを移動先にドラッグ又はドロップするまで通知できなかった。したがって、ユーザはあらかじめ計画した順番に並べ替えようとして操作してから、初めてできないことを知り、また、異なる順番に対して最初から操作をやりなおさなければならないという不都合があった。
【０００６】
また、各ファイルに順番を指定する方法では、ユーザは視覚的に分かりにくいという欠点があった。また一部のファイルの並べ替えのために全部のファイルについて順序付けをしたり、選択しなおしたりしなければならないという大変面倒な作業が必要であった。
【０００７】
また、一覧表示で、移動対象となるファイルを選択し、その後、移動先のファイルを指定する方法では、移動対象と移動先のファイルの選択の際、ユーザはどちらもファイルのアイコン又はサムネールを選択する必要がある。したがって、移動対象と移動先のどちらの選択操作をしているのかユーザには分かりにくく、誤操作を起こしやすかった。また、移動先もファイルのアイコン又はサムネールで指定するため、移動先ファイルの前後のどちらに移動対象となるファイルが挿入されるかは、ユーザには直感的に分かりにくかった。また、いずれになるかは、そのアプリケーションの仕様により異なるので、ユーザにとっては混乱をきたすものであった。
【課題を解決するための手段】
【０００８】
前記課題を解決するため、本発明では、画像ファイルのサムネール画像を並べて表示する画像表示手段と、前記表示された中から第１のサムネール画像を選択する第１の画像選択手段と、前記表示された中から第２のサムネール画像を選択する第２の画像選択手段と、前記第１のサムネール画像の周囲に挿入可能な位置を表示する位置表示手段と、前記表示された中からいずれかの位置を選択する位置選択手段と、前記第２のサムネール画像を前記選択された位置に表示する並べ替え表示手段を備えたことを特徴とする画像表示装置を提供する。
【発明の効果】
【０００９】
本発明によれば、ポインティングデバイスによるドラッグアンドドロップの操作を用いることなく、簡単かつ正確にファイルの並べ替えの操作を行うことが可能となる。
【発明を実施するための最良の形態】
【００１０】
（第１の実施形態）
本実施形態では、ディスプレイが小さく、マウス等のポインティングデバイスを備えない入力操作部材が貧弱なデバイス機器の一例として、デジタルカメラをあげる。そして、デジタルカメラがそのメモリに保存され、ディスプレイに表示されている画像ファイルの順番の並べ替えを行う場合について説明する。
【００１１】
＜デジタルカメラの構成＞
図１はデジタルカメラの例を示す図である。デジタルカメラ１００は、光学系（撮像用レンズ）１０を介して被写体像を撮影するように構成されている。光学系１０は、ズームレンズ（撮影画角を変更可能なレンズ）として構成されうる。これにより光学的なズーム機能（いわゆる光学ズーム）が提供されている。デジタルカメラ１００は、更に、撮像素子１４によって撮像される画像を電子的に切り取る（トリミング）ことによる電子的なズーム機能（いわゆる電子ズーム）を有するように構成されうる。なお、デジタルカメラ１００は、光学ズーム及び電子ズームのいずれか一方の機能のみを有するように構成される場合もある。また、光学系１０は、交換可能であってもよい。この場合は、デジタルカメラ１００の本体側から光学系１０に対して電気信号を送ることにより、光学系１０内の駆動機構が変倍用のレンズを駆動してズーム機能を提供する。また、デジタルカメラ１００の本体側に光学系１０内の変倍用のレンズを機械的に駆動する駆動機構を設けてもよい。
【００１２】
光学系（撮影レンズ）１０を通る被写体からの光線（光学的な画角内から入射する光線）は、絞り機能を備えるシャッター１２の開口を通して撮像素子（例えば、ＣＣＤセンサ、ＣＭＯＳセンサ）１４の撮像面に被写体の光学像を形成する。撮像素子１４は、この光学像を電気的なアナログ画像信号に変換して出力する。Ａ／Ｄ変換器１６は、撮像素子１４から提供されるアナログ画像信号をデジタル画像信号に変換する。撮像素子１４及びＡ／Ｄ変換器１６は、タイミング発生回路１８から提供されるクロック信号や制御信号によって制御される。タイミング発生回路１８は、メモリ制御回路２２及びシステム制御回路５０により制御される。
【００１３】
画像処理回路２０は、Ａ／Ｄ変換器１６から提供される画像データ（デジタル画像信号）又はメモリ制御回路２２から提供される画像データに対して画素補間処理や色変換処理等の画像処理を行う。また、画像処理回路２０は、撮像素子１４で撮像された画像データに基づいて、ＴＴＬ（スルー・ザ・レンズ）方式のＡＦ（オートフォーカス）処理、ＡＥ（自動露出）処理、ＥＦ（フラッシュプリ発光による自動調光）処理のためのデータを演算する。そしてその演算結果をシステム制御回路５０に提供する。システム制御回路５０は、この演算結果に基づいて露光制御部４０、測距制御部（ＡＦ制御部）４２を制御し、自動露出やオートフォーカス機能を実現している。更に、画像処理回路２０は、撮像素子１４で撮像された画像データに基づいてＴＴＬ方式のＡＷＢ（オートホワイトバランス）処理も実行する。
【００１４】
メモリ制御回路２２は、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１５】
Ａ／Ｄ変換器１６から出力される画像データは、画像処理回路２０及びメモリ制御回路２２を介して、又は、画像処理回路２０を介することなくメモリ制御回路２２を介して、画像表示メモリ２４或いはメモリ３０に書き込まれる。
【００１６】
画像表示メモリ２４に書き込まれた表示用の画像データは、Ｄ／Ａ変換器２６によって表示用のアナログ画像信号に変換されて画像表示部２８に提供され、これにより画像表示部２８に撮像画像が表示される。画像表示部２８に撮像画像を連続的に表示することにより、電子ファインダー機能が実現される。画像表示部２８は、システム制御回路５０からの指令によって任意に表示をＯＮ／ＯＦＦされうる。表示をＯＦＦにして使用することにより、デジタルカメラ１００の電力消費を大幅に低減することができる。
【００１７】
メモリ３０は、撮影（記録媒体に記録する画像として撮像）した静止画像や動画像を格納するために使用される。メモリ３０の容量やアクセス速度（書き込み速度、読み出し速度）は、任意に決定されうるが、複数枚の静止画像を連続して撮影する連射撮影やパノラマ撮影を可能にするためには、それに応じた容量やアクセス速度を与える必要がある。メモリ３０は、システム制御回路５０の作業領域としても使用されうる。
【００１８】
圧縮・伸長回路３２は、例えば適応離散コサイン変換（ＡＤＣＴ）等により画像データを圧縮・伸長する回路である。メモリ３０に格納された画像データを読み込んで圧縮処理或いは伸長処理を行い、処理を終えた画像データをメモリ３０に書き込むように構成されうる。
【００１９】
露光制御部４０は、システム制御回路５０から提供される情報に基づいて、絞り機能を備えるシャッター１２を制御する。露光制御部４０は、フラッシュ（発光装置）４８と連携したフラッシュ調光機能も有しうる。フラッシュ４８は、フラッシュ調光機能及びＡＦ補助光の投光機能を有する。
【００２０】
測距制御部４２は、システム制御回路５０から提供される情報に基づいて、光学系１０のフォーカシング用レンズを制御する。ズーム制御部４４は、光学系１０のズーミングを制御する。バリア制御部４６は、光学系１０を保護するバリア１０２の動作を制御する。
【００２１】
表示部（例えば、ＬＣＤ、ＬＥＤ）５４、音源（例えば、スピーカ）５５は、それぞれ１又は複数の素子で構成され、システム制御回路５０におけるプログラムの実行に応じて、文字、画像、音声等により動作状態やメッセージ等を出力するように構成される。表示部５４は画像処理装置１００の適所に配置される。表示部５４を構成する一部の表示素子は、光学ファインダー１０４内に配置されうる。
【００２２】
表示部５４に表示される情報のうち、ＬＣＤ等に表示される情報としては、例えば、シングルショット／連写撮像表示、セルフタイマー表示、圧縮率表示、記録画素数表示、記録枚数表示、残撮像可能枚数表示、シャッタースピード表示などがある。この他にも、絞り値表示、露出補正表示、フラッシュ表示、赤目緩和表示、マクロ撮像表示、ブザー設定表示、時計用電池残量表示、電池残量表示、エラー表示、複数桁の数字による情報表示などがある。さらには、記憶媒体２００及び２１０の着脱状態表示、通信Ｉ／Ｆ動作表示、日付・時刻表示などがある。
【００２３】
また、表示部５４に表示される情報のうち、光学ファインダー１０４内に表示される情報としては、例えば、合焦表示、手振れ警告表示、フラッシュ充電表示、シャッタースピード表示、絞り値表示、露出補正表示、等がある。
【００２４】
不揮発性メモリ５６は、例えばＥＥＰＲＯＭ等の、電気的に消去・記録可能が可能なメモリである。画像データや外部機器からのオブジェクトデータは、不揮発性メモリ５６に格納されてもよい。また、ネットワークに接続するための設定パラメータ領域を、別途不揮発性メモリ５６に設ける。
【００２５】
第１シャッタースイッチ（ＳＷ１）６２は、シャッターボタン３１０の操作途中（半押し）でＯＮとなり、ＡＦ（オートフォーカス）処理、ＡＥ（自動露出）処理、ＡＷＢ（オートホワイトバランス）処理等の開始をシステム制御回路５０に指示する。第２シャッタースイッチＳＷ２（６４）は、シャッターボタン３１０の操作完了（全押し）でＯＮとなる。ＳＷ２（６４）は、撮像素子１４から画像信号を読み出してＡ／Ｄ変換器１６でデジタル画像データに変換した後にこれを画像処理部２０で処理し、メモリ制御部２２を介してメモリ３０に書き込む処理の開始をシステム制御部５０に指示する。ＳＷ２（６４）はまた、メモリ３０から画像データを読み出して圧縮・伸長部３２で圧縮し、その圧縮された画像データを記憶媒体２００又は２１０に書き込む処理を含む一連の処理（撮像処理）の開始をシステム制御部５０に指示する。
【００２６】
ズーム操作部６５は、撮影画角（ズーム倍率或いは撮影倍率）を変更するために撮影者によって操作される操作部であって、例えば、スライド式の操作部材又はレバー式の操作部材とその動作を検知するスイッチ又はセンサとによって構成されうる。
【００２７】
操作部７０は、図２に示すボタン又はスイッチ２５１〜２６２を含み、電源をＯＮ／ＯＦＦしたり、撮影条件を設定或いは変更したり、撮影条件を確認したり、デジタルカメラ１００の状態を確認したり、撮影済みの画像を確認したりする際に使用される。
【００２８】
電源制御部８０は、例えば、電源検出回路、ＤＣ−ＤＣコンバータ、通電するブロックを切り替えるスイッチ回路等を含む。そして電源の有無、電源の種類、電池残量の検出を行い、その検出結果とシステム制御回路５０からの指令に従ってＤＣ−ＤＣコンバータを制御し、必要な電圧を必要な期間に各ブロックに供給する。デジタルカメラ１００の本体、電源８６は、それぞれコネクタ８２、８４を有し、これによって接続される。電源８６は、例えば、アルカリ電池やリチウム電池等の一次電池や、ＮｉＣｄ電池やＮｉＭＨ電池、Ｌｉ電池等の二次電池、ＡＣアダプター等である。
【００２９】
記録媒体２００、２１０は、コネクタ２０６、２１６によってデジタルカメラ１００の本体のコネクタ９２、９６に接続される。記録媒体２００、２１０は、例えば、半導体メモリ又はハードディスク等の記録部２０２、２１２と、インターフェイス２０４、２１４とを含み、デジタルカメラ１００の本体側のインターフェイス９０、９４を介してデジタルカメラ１００内のバスに接続される。記録媒体着脱検知部９８は、コネクタ９２、９６に記録媒体２００、２１０が接続されているか否かを検知する。
【００３０】
なお、この例では、記録媒体を取り付けるインターフェイス及びコネクタを２系統有するものとして説明されているが、これらは１系統でもよいし、３系統以上でもよい。複数系統のインターフェイス及びコネクタを備える場合は、それらは互いに異なる仕様を有していてもよい。インターフェイス及びコネクタとしては、例えば、ＰＣＭＣＩＡカードやＣＦ（コンパクトフラッシュ（登録商標））カード等の規格に準拠したものを採用しうる。
【００３１】
インターフェイス９０及び９４、並びにコネクタ９２及び９６としてＰＣＭＣＩＡカードやＣＦ（コンパクトフラッシュ（登録商標））カード等の規格に準拠したものを採用することができる。この場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することができる。そして他のコンピュータやプリンタ等の周辺機器との間で画像データや画像データに付属した管理情報を相互に転送することができる。
【００３２】
光学ファインダー１０４は、画像表示部２８による電子ファインダー機能を使用することなしに撮影を行うことを可能にする。光学ファインダー１０４内には、表示部５４の一部を構成する表示素子、例えば、合焦表示、手振れ警告表示、フラッシュ充電表示、シャッタースピード表示、絞り値表示、露出補正表示を行うための表示素子が配置されうる。
【００３３】
図２は、デジタルカメラ１００の外観構成の一例を示す図である。なお、図２においては、説明のために不要な構成部分は省略されている。
【００３４】
電源ボタン２５１は、デジタルカメラ１００を起動及び停止させるため、或いは、デジタルカメラ１００の主電源をＯＮ／ＯＦＦするボタンである。
【００３５】
メニューボタン２５２は、各種の撮像条件の設定のため、及び、デジタルカメラ１００の状態を表示させるためのメニュー（メニューは、選択可能な及び／又は値を変更可能な複数の項目を含んで構成されうる）を表示するためのボタンである。例えば、メニューボタン２５２が押下されると、システム制御回路５０は、画像表示部２８にメニューを表示させる。メニューは、撮像中の画像の上に合成して表示されてもよいし、単独で表示（例えば、所定の背景色の上に表示）されてもよい。メニューが表示されている状態で再度メニューボタン２５２が押下されると、システム制御回路５０は、画像表示部２８へのメニューの表示を終了させる。
【００３６】
また、画像表示部２８には、画像表示メモリ２４から読み出されたサムネール画像がマルチ表示される。
【００３７】
左ボタン２５５、右ボタン２５６、上ボタン２５７、下ボタン２５８（方向選択キー）は、カーソル又はハイライト部等のような、複数の選択肢の中で選択されている選択肢（例えば、項目、画像）を変更するために用いられる。また、選択されている選択肢を特定する指標の位置を変更するため、数値（例えば、補正値や日時等を示す数値など）を増減させるためにも使用されうる。ここで、左ボタン２５５、右ボタン２５６、上ボタン２５７、下ボタン２５８によって、複数の項目の中から１つの項目のみを選択する他、２つ以上の項目を選択することができるようにユーザインターフェイスが構成されることが好ましい。例えば、システム制御回路５０は、決定ボタン２５３が押下された状態で左ボタン２５５、右ボタン２５６、上ボタン２５７、下ボタン２５８が操作された場合に、その操作によって指定された２以上の項目が選択されたものと認識するように構成されうる。
【００３８】
決定ボタン２５３は、モード或いは選択肢を決定する際に押下される。システム制御回路５０は、決定ボタン２５３が押下されると、そのときに選択されているモード或いは選択肢を設定する。
【００３９】
本実施形態では、ユーザは画像表示部２８にマルチ表示されたサムネール画像を見ながら左右上下ボタン２５５〜２５８を押下することによってサムネール画像を選択し、決定ボタン２５３を操作して決定指示を入力する。
【００４０】
表示ボタン２５４は、撮像した画像についての撮影情報の表示・非表示を選択したり、画像表示部２８を電子ファインダーとして機能させるか否かを切り替えたりするために使用される。
【００４１】
シャッターボタン２６０は、前述のように、例えば半押し状態で、ＡＦ（オートフォーカス）処理、ＡＥ（自動露出）処理、ＡＷＢ（オートホワイトバランス）処理、ＥＦ（フラッシュプリ発光）処理等の開始がシステム制御回路５０に指示される。また、全押し状態で、撮影がシステム制御回路５０に指示されるように構成されうる。
【００４２】
録画／再生切り替えスイッチ２６１は、録画モードを再生モードに、及び、再生モードを録画モードに切り替えるために使用される。
【００４３】
ジャンプキー２６２は方向選択キーと同様の働きをし、カーソル又はハイライト部等のような、複数の選択肢の中で選択されている選択肢（例えば、項目、画像）を変更するため、又は、選択されている選択肢を特定する指標の位置を変更するために使用される。ジャンプキーによるカーソル移動は、方向選択キーによるそれに比べ早く、もしくは大きく設定してもよい。
【００４４】
なお、前記のような操作系に代えて、ダイアルスイッチを採用してもよいし、他の操作系を採用することもできる。
【００４５】
＜画像ファイル並べ替え処理の流れ＞
図３は、デジタルカメラ１００が再生時に実行する、画像ファイルの並べ替え処理の流れを示したフローチャートである。
【００４６】
ステップＳ３０１では、ユーザの操作を受けて操作部７０により画像の並べ替え指示が入力される。具体的には、ユーザによりメニューボタン２５２が押下されると、画像ファイル並べ替えを含むメニューが画像表示部２８に表示される。そして、ユーザにより上下左右ボタン２５５〜２５８のいずれかが押下され、「画像ファイル並べ替え」が選択され、決定ボタン２５３が押下されることにより、指示が入力される。
【００４７】
ステップＳ３０２では、システム制御回路５０は移動画像選択モードに切り替える処理を行う。
【００４８】
ステップＳ３０３では、デジタルカメラ１００では、ユーザの操作を受けて操作部７０により、移動対象となる画像ファイルのサムネール画像が選択される。
【００４９】
図４に、移動対象となる画像ファイルのサムネール画像の選択が行われた状態の画像一覧画面４００の一例を示す。図４では移動対象として画像１１（４０１）が強調表示されている。
【００５０】
ステップＳ３０４は、システム制御回路５０は移動先選択モードに切り替える。
【００５１】
ステップＳ３０５では、ユーザの操作を受けて操作部７０により移動先の基準となるサムネール画像を選択する。
【００５２】
図５に、移動先の基準となる画像ファイルのサムネール画像の選択が行われた状態の画像一覧画面５００の一例を示す。図５では移動先の基準として画像６（５０１）が、画像１１（４０１）とは異なる態様で強調表示されている。
【００５３】
ステップＳ３０６では、システム制御回路５０はステップＳ３０５で選択された移動先の基準となる画像ファイルの挿入可否情報を順序情報テーブル６００より読み出して取得する。
【００５４】
挿入可否情報の設定は、例えば、ユーザがデジタルカメラ１００を操作して画像ファイル毎にその前後への挿入可否を入力することにより設定するようにしてもよい。あるいは、各画像ファイルについて、Ｅｘｉｆ情報のような撮影情報に基づいて自動的に設定するようにしてもよい。例えば、撮影情報が連続撮影やブラケット撮影によって得られた画像ファイルであることを示せば、連続した複数の画像ファイルの間には挿入不可を設定することが考えられる。
【００５５】
ここで、各画像ファイルに割り当てられた挿入可否情報や順序は図６に示すような順序情報テーブル６００で管理される。
【００５６】
図６は順序情報テーブル６００の一例である。デジタルカメラ１００または画像ファイルが保持する情報にしたがって、ユーザＩＤ６０１、アルバムＩＤ６０２、画像ＩＤ６０３、ファイルパス６０４が格納される。また、撮影日時あるいはファイル名にしたがって、当該アルバムにおける画像ファイルの順序６０５が格納される。また、ステップＳ１１２１で受信された挿入可否情報にしたがって、当該画像ファイルの前後に他の画像ファイルを挿入することを許可するかどうかを示すフラグ６０６、６０７が格納される。フラグ６０６、６０７には、許可する場合には“１”、許可しない場合には“０”がそれぞれ格納される。
【００５７】
ステップＳ３０７では、システム制御回路５０は挿入位置提示モードに切り替え、ステップＳ３０６で取得された挿入可否情報にしたがい、挿入可能位置を画像表示部２８に表示する。
【００５８】
図７及び図８に挿入可能位置が示された画像一覧画面７００及び８００の一例を示す。
【００５９】
図７では、ステップＳ３０５で選択されたサムネール画像（６）を中央に配置し、前後に挿入の可否を示すアイコンが表示されている。図７では、サムネール画像（６）の後の挿入位置アイコン７０１が強調表示され、選択された状態を示している。つまり、この場合、移動対象となる画像ファイル（１１）は画像ファイル（６）と画像ファイル（７）の間に挿入されるよう指示された状態である。
【００６０】
図８では、ステップＳ３０５で選択されたサムネール画像（６）を中央に配置し、その左と上には挿入不可能位置を示すアイコンが表示され、その右と下には挿入可能位置を示すアイコンが表示されている。図８では、サムネール画像（６）の下の挿入位置アイコン８０１が強調表示され、選択された状態を示している。つまり、この場合、移動対象となる画像ファイル（１１）は画像ファイル（８）と画像ファイル（９）の間に挿入されるよう指示された状態である。
【００６１】
なお、挿入位置提示モードでは、ユーザによる移動キーの操作に応答して、カーソルは挿入可能位置を示すアイコン上のみで移動でき、それ以外のアイコンやサムネール画像上はスキップし、移動しないように制御される。つまり、図７に示した例では、左キー８０２や右キー８０３が操作されることにより、カーソルは画像（６）の左右のアイコンを交互に移動するだけとなる。
【００６２】
なお、図７及び図８のような画像一覧画面では、挿入不可能な位置にはなにもアイコンを表示しないようにしてもよい。
【００６３】
ステップＳ３０８では、デジタルカメラ８００ではユーザの操作を受けて操作部７０により、挿入位置が指定される。
【００６４】
ステップＳ３０９では、システム制御回路５０はステップＳ３０３で選択されたサムネール画像の画像ファイルがステップＳ３０８で指定された位置になるよう順序情報テーブル６００に格納された値を変更する。
【００６５】
ステップＳ３１０では、システム制御回路５０はステップＳ３０９で変更された順序情報テーブル６００の画像ファイルの順序を順序情報保持部１０３から読み出し、画像一覧画面を更新して再表示を行う。
【００６６】
ステップＳ３１１では、システム制御回路５０はユーザの操作を受けて操作部７０により並べ替えの終了の指示を受け付けたかどうか判定する。そして、終了の指示を受け付けたと判定されれば本処理を終了する。具体的には、システム制御回路５０はユーザの操作を受けて操作部７０によりメニューボタンが押下されたと判定すると、画像ファイル並べ替えの終了を含む各種メニューを画像表示部２８に表示する。そして、ユーザの操作を受けて操作部７０により上下左右ボタン２５５〜２５８のいずれかが押下され、「画像ファイル並べ替えの終了」が選択され、指示が入力される。一方、終了の指示を受け付けていなければ、ステップＳ３０２の処理に戻る。
【００６７】
また、本実施形態では、挿入位置提示モードにおいて、デジタルカメラ１００がサムネール画像に加えてアイコンもディスプレイ表示すると、表示されるサムネール画像の数が少なくなってしまう。そこで、挿入位置提示モードでは、移動画像選択モードや移動先指定モードの時に比べて小さなサイズのサムネール画像を表示するようにしてもよい。これにより、小さなディスプレイしか備えない場合であっても、より多くのサムネール画像を表示させることができる。
【００６８】
以上のように本実施形態によれば、ユーザは、カーソルキーを使った簡単な操作でファイルの並べ替えを行うことが可能となる。
【００６９】
また、本実施形態では移動先の基準となるサムネール画像の周囲に挿入位置アイコンを提示するようにした。これにより、不用なアイコンは提示されないので、ユーザは移動対象となる画像ファイルがどの位置に挿入されるかを容易に知ることができ、誤操作を減らすことができる。
【００７０】
また、本実施形態では、不用なアイコンが表示される代わりに、多くのサムネール画像が表示される。これにより、ユーザは一度に見られるサムネール画像が多くなり、他の多くのサムネール画像との関係を一目で考慮することができ、挿入位置を選びやすくなる。
【００７１】
また、本実施形態では、移動先の基準となるサムネール画像が選択されてから挿入位置アイコンを表示するようにした。これにより、移動先の基準を選択する際にはディスプレイ上に多くのサムネール画像が表示される。したがって、ユーザはカレントで表示されているサムネール画像を変更させるためのスクロール操作等を行うことが少なくなるので、ユーザの手間を省けるという利点がある。
【００７２】
（第２の実施形態）
以下に、図面を参照して、本発明の好適な実施形態を例示的に詳しく説明する。
【００７３】
＜画像ファイル保管システムの構成＞
図９は本発明の一実施形態として、インターネット上に配置されたサーバ装置９００がアプリケーションプログラムに従って、画像ファイル保管システムを実現し、画像ファイルの並べ替え処理を実行するのに必要な構成を示した図である。
【００７４】
図９において９０１はハードディスク等に領域を割り当てられた画像ファイル保管部である。９０２は画像ファイル保管部９０１に保管された画像ファイルに関する情報を保持するファイル情報保持部である。９０３は画像ファイル保管部９０１に保管される画像ファイルの順序情報を保持する順序情報保持部である。９０４は画像ファイル保管部９０１に保管された画像ファイルの前後の順番に他の画像ファイルを挿入可能か否かの情報を保持する挿入可否情報保持部であり、本実施形態では順序情報保持部９０３に含まれる。
【００７５】
９０５はクライアント装置１０００からユーザ操作による画像ファイルの並べ替えのリクエストを受け付け、処理を開始する並べ替え処理開始処理部である。９０６はクライアント装置１０００の状態等から並べ替えのモードを決定するモード決定処理部である。９０７はモード別に固有の情報をディスプレイに表示させるモード別表示処理部である。９０８は画像ファイルを挿入可能な位置を明示的にディスプレイに表示させる挿入可能位置提示処理部であり、本実施形態ではモード別表示処理部９０７に含まれる。
【００７６】
９０９はクライアント装置１０００からユーザ操作により指定された画像ファイルおよび挿入位置を含む並べ替え指示情報を、取得する並べ替え情報取得処理部である。９１０は並べ替え情報取得処理部９０９で取得された並べ替え指示情報にしたがって並べ替え処理を行い順序情報保持部９０３の順序情報を変更する順序情報変更処理部である。
【００７７】
なお、サーバ装置９００は１つ又は複数のコンピュータにより実現可能である。サーバ装置９００は例えば、サーバ装置９００全体を制御するＣｅｎｔｒａｌ  Ｐｒｏｃｅｓｓｉｎｇ  Ｕｎｉｔ（ＣＰＵ）を有する。また、変更を必要としないプログラムやパラメータを格納するＲｅａｄ  Ｏｎｌｙ  Ｍｅｍｏｒｙ（ＲＯＭ）、外部装置などから供給されるプログラムやデータを一時記憶するＲａｎｄｏｍ  Ａｃｃｅｓｓ  Ｍｅｍｏｒｙ（ＲＡＭ）を有する。
【００７８】
また、サーバ装置９００に固定して設置されたハードディスクやメモリカード、あるいは着脱可能な光ディスク、磁気ディスク、メモリカードなどを含む外部記憶装置を有する。ファイル保管部９０１、ファイル情報保持部９０２、順序情報保持部９０３、挿入可否情報保持部はこれらのハードディスクや外部記憶装置により実現される。ハードディスクはＯｐｅｒａｔｉｎｇ  Ｓｙｓｔｅｍ（ＯＳ）やＣｏｍｍｏｎ  Ｇａｔｅｗａｙ  Ｉｎｔｅｒｆａｃｅ（ＣＧＩ）プログラムも記憶している。
【００７９】
また、サーバ装置９００は、オペレータの操作を受け、データを入力するポインティングデバイスやキーボードなどの入力デバイス及びそのインターフェイスを有する。また、サーバ装置９００の保持する画像ファイル等のデータや供給されたデータを表示するためのディスプレイとそのインターフェイスを有する。また、インターネットなどのネットワーク回線９２０に接続するためのネットワークインタフェイスを有する。また、上記した各ユニットを通信可能に接続するシステムバスも有する。
【００８０】
また、サーバ装置９００はネットワーク回線９２０を介してクライアント装置１０００と通信可能である。サーバ装置９００はＣＧＩプログラムに従って、クライアント装置１０００からの要求に対する動作を行う。そして、Ｈｙｐｅｒ  Ｔｅｘｔ  Ｍａｒｋｕｐ  Ｌａｎｇｕａｇｅ（ＨＴＭＬ）、ｅＸｔｅｎｓｉｂｌｅ  Ｍａｒｋｕｐ  Ｌａｎｇｕａｇｅ（ＸＭＬ）やＪａｖａ（登録商標）  Ｓｃｒｉｐｔ等の言語で記述されたマルチメディア情報（以下、画面情報とも言う。）をクライアント装置１０００へ送信する。
【００８１】
図１０は本実施形態のクライアント装置１０００の構成を示した図である。クライアント装置はコンピュータにより実現可能である。
【００８２】
図１０において、１００１はクライアント装置１０００全体を制御するＣｅｎｔｒａｌ  Ｐｒｏｃｅｓｓｉｎｇ  Ｕｎｉｔ（ＣＰＵ）である。１００２は変更を必要としないプログラムやパラメータを格納するＲｅａｄ  Ｏｎｌｙ  Ｍｅｍｏｒｙ（ＲＯＭ）である。１００３は外部装置などから供給されるプログラムやデータを一時記憶するＲａｎｄｏｍ  Ａｃｃｅｓｓ  Ｍｅｍｏｒｙ（ＲＡＭ）である。１００４はコンピュータ装置１０００に固定して設置されたハードディスクやメモリカード、あるいは着脱可能な光ディスク、磁気ディスク、メモリカードなどを含む外部記憶装置である。ハードディスクには、ＯＳやＷｅｂブラウザプログラムが記憶されている。クライアント装置１０００はＷｅｂブラウザプログラムに従って、マルチメディア情報をサーバ装置９００へ要求し、マルチメディア情報をサーバ装置から受信して、ディスプレイに画面を表示させたり、画面の表示内容を変更したりする動作を行う。
【００８３】
また、クライアント装置１０００は、ユーザの操作を受け、データを入力するポインティングデバイスやキーボード１００９などの入力デバイスとのインターフェイス１００５を有する。１００６はクライアント装置１０００の保持するデータや供給されたデータを表示するためのディスプレイ１０１０とのインターフェイスである。１００７はインターネットなどのネットワーク回線９２０に接続するためのネットワークインタフェイスである。１００８は１００１〜１００７の各ユニットを通信可能に接続するシステムバスである。
【００８４】
また、クライアント装置１０００はＦｉｌｅ  Ｔｒａｎｓｆｅｒ  Ｐｒｏｔｏｃｏｌ（ＦＴＰ）やＨｙｐｅｒ  Ｔｅｘｔ  Ｔｒａｎｓｆｅｒ  Ｐｒｏｔｏｃｏｌ（ＨＴＴＰ）を使ってサーバ装置９００と各種情報の送受信が可能である。
【００８５】
＜画像ファイルのアップロード＞
図１１を参照して、本実施形態におけるクライアント装置１０００がサーバ装置９００に画像ファイルをアップロードする処理を説明する。以下、クライアント装置の動作はＣＰＵ１００１がＯＳ及びＷｅｂブラウザプログラムにしたがって行うものとする。又、サーバ装置９００の動作はそのＣＰＵがＯＳ及びＣＧＩプログラムにしたがって行うものとする。
クライアント装置とサーバ装置９００はネットワーク９２０を介して通信を開始する（ステップＳ１１０１）。
【００８６】
クライアント装置１０００は、記憶装置１００４に記憶された中から画像ファイルをいくつか選択する（ステップＳ１１１１）。
【００８７】
次にクライアント装置１０００は、画像ファイルのアップロード順を選択する（ステップＳ１１１２）。例えば、ファイル名順、撮影日時順またはステップＳ１１１１での選択順が考えられる。なお、アップロード順を予め定めておき、このステップＳ１１１２を省略するようにしてもよい。
【００８８】
次にクライアント装置１０００は、各画像ファイルについて、その前後に他の画像ファイルを挿入することを許可するかどうかの指示を示す挿入可否情報を設定する（ステップＳ１１１３）。挿入可否情報の設定は、例えば、ユーザがクライアント装置１０００を操作して画像ファイル毎にその前後への挿入可否を入力することにより設定されるようにしてもよい。あるいは、クライアント装置１０００において、各画像ファイルについて、Ｅｘｉｆ情報のような撮影時情報に基づいて自動的に設定されるようにしてもよい。例えば、連続撮影やブラケット撮影によって得られた、連続した複数の画像ファイルの間には挿入不可が設定されることが考えられる。
【００８９】
そして、クライアント装置１０００は、ステップＳ１１１２で指定された順に画像ファイルをサーバ装置９００へアップロードする（ステップＳ１１１４）。ステップＳ１１１４では、クライアント装置１０００は画像ファイルとともにステップＳ１１１３で設定された挿入可否情報もアップロードする。ここで、画像ファイル全てについてその挿入可否情報をアップロードするのではなく、不許可を指示された画像ファイルのみについてサーバ装置９００に通知するようにしてもよい。また、ステップＳ１１１４では、クライアント装置１０００のユーザを一意に特定するためのユーザＩＤもアップロードされる。
【００９０】
サーバ装置９００は、画像ファイルを順にクライアント装置１０００から受信する（ステップＳ１１２１）。また、各画像ファイルの挿入可否情報も受信する。
【００９１】
サーバ装置９００は、ステップＳ１１２１で受信された画像ファイルをファイル保管部９０１に記憶するとともに、画像ファイルに関する情報をファイル情報保持部９０２に記憶する（ステップＳ１１２２）。また、ここで、サーバ装置９００は挿入可否情報を挿入可否情報保持部９０４に記憶する。
【００９２】
画像ファイルに関する情報は、例えば、画像ファイルを一意に特定するためにサーバ装置９０１により発行される画像ＩＤである。または、ステップＳ１１２１で受信された一連の画像ファイルを１つのアルバムに属する画像ファイル群として管理し、当該アルバムを一意に特定するためにサーバ装置９００により発行されるアルバムＩＤである。または、画像ファイルの画像ファイル保管部９０１での保管場所を示すファイルパス、Ｅｘｉｆ情報やユーザＩＤ等である。
【００９３】
サーバ装置９００は、ステップＳ１１２１で受信された順を初期順序として、各画像ファイルに順序を割り当てる（ステップＳ１１２３）。各画像ファイルに割り当てられた順序は図６に示すような順序情報テーブル６００で管理される。順序情報テーブル６００は順序情報保持部９０３に保管される。ここでは、ステップＳ１１２３で割り当てられた順序にしたがって、当該アルバムにおける画像ファイルの順序６０５が格納される。また、ステップＳ１１２１で受信された挿入可否情報にしたがって、当該画像ファイルの前後に他の画像ファイルを挿入することを許可するかどうかを示すフラグ６０６、６０７が格納される。
【００９４】
＜画像ファイル並べ替え処理の流れ＞
図１２は本発明の一実施形態として、サーバ装置９００が実行する画像ファイルの並べ替えの処理手順を表したフローチャートである。以下、サーバ装置９００の動作はそのＣＰＵがＯＳ及びＣＧＩプログラムに従って行うものとする。
【００９５】
ステップＳ１２０１では、サーバ装置９００は画像ファイルの表示要求をクライアント装置１０００から受信する。表示要求とともに、ユーザＩＤ及び表示対象となるアルバムのアルバムＩＤも受信する。
【００９６】
ステップＳ１２０２では、サーバ装置９００はステップＳ１２０１で受信されたユーザＩＤ及びアルバムＩＤに基づき、順序情報テーブル６００に格納された画像ファイルパス及びその順序を順序情報保持部９０３から読み出す。そして、その順序に従って、画像ファイルのサムネール画像を表示させるための指示が記述された画像一覧画面情報を作成する。なお、サーバ装置９００は画像ファイルパスに従って画像ファイルをファイル保管部９０１から読み出し、サムネール画像を生成する。
【００９７】
ステップＳ１２０３では、サーバ装置９００はステップＳ１２０２で作成された画像一覧画面情報をクライアント装置１０００へ送信する。これにより、クライアント装置１０００のディスプレイに画像一覧画面６００が表示される。
【００９８】
図１３に画像一覧画面１３００の一例を示す。１３０１は画像ファイルの並べ替えの指示を入力するための「並べ替え」ボタンである。ユーザが「並べ替え」ボタン１３０１を押下操作すると、クライアント装置１０００は画像ファイルの並べ替えをサーバ装置９００に要求する。１３０２はサムネール画像を一覧表示する領域である。１３０３は１３０２に表示されているアルバムに対して更に画像ファイルをアップロードする処理の開始を指示するための「アップロード」ボタンである。次にステップＳ１２０４では、サーバ装置９００は画像ファイルの並べ替えを開始する要求をクライアント装置１０００から受信する。
【００９９】
ステップＳ１２０５ではサーバ装置９００がクライアント装置１０００からプラグイン情報を取得し、ドラッグアンドドロップ操作で画像ファイルを並べ替えするためのプラグインプログラムがクライアント装置１０００にインストールされているかどうか判断する。ステップＳ１２０５はモード決定処理部９０６で実行される。
【０１００】
ステップＳ１２０５でプラグインプログラムがインストールされていると判断されたときはステップＳ１２２１へ処理が渡される。一方、プラグインプログラムがインストールされていないと判断されたときはステップＳ１２０６へ処理が渡される。
【０１０１】
ステップＳ１２２１で、サーバ装置９００は、クライアント装置１０００にプラグインプログラムを起動させ、ドラッグアンドドロップ並べ替えモードに切り替える。クライアント装置１０００では、ユーザによる移動対象画像ファイルのサムネール画像を指定するドラッグ操作と、挿入位置を指定するドロップ操作が行われる。ドロップ操作が行われると、ドラッグ操作されたサムネール画像の画像ＩＤと、ドロップ操作された位置がクライアント装置１０００に入力される。ステップＳ１２２１は並べ替え処理開始部９０５で行われる。
【０１０２】
一方、ステップＳ１２０６では、サーバ装置９００は順序情報テーブル６００の各画像ファイルの挿入可否情報を挿入可否情報保持部９０４より取得する。
【０１０３】
ステップＳ１２０７では、サーバ装置９００はステップＳ１２０６で取得された各画像ファイルの挿入可否情報にしたがい、画像一覧画面を挿入位置提示モードで表示するための指示が記述された画面情報を生成する。ステップＳ１２０７は挿入可能位置提示処理部９０８で実行される。
【０１０４】
ステップＳ１２０８では、サーバ装置９００はステップＳ１２０７で生成された画面情報をクライアント装置１０００へ送信する。クライアント装置１０００は受信された画面情報に基づき、挿入位置提示モードの画像一覧画面１４００をディスプレイに表示する。
【０１０５】
図１４は、挿入位置提示モードの画像一覧画面１４００の一例である。１４０２は挿入可能位置を示すアイコンであり、１４０３は挿入不可能位置を示すアイコンである。
【０１０６】
なお、挿入不可能位置にはアイコンをなにも表示しないようにしてもよい。
【０１０７】
また、ユーザが挿入可能位置や不可能位置を容易に把握できる表示であれば、アイコンに限らず、バーを表示するようにしてもよいし、サムネール画像同士の間の表示の色を変えるようにする等であってもよい。
【０１０８】
移動対象となる画像ファイルのサムネール画像がユーザ操作により選択されると、１４０４に示すように当該サムネール画像が強調表示され、その画像ＩＤがクライアント装置１０００に入力される。なお、移動対象となるサムネール画像は１つに限らず、複数個選択して、一まとめで挿入するよう指示することも可能である。
【０１０９】
また、ユーザ操作により挿入可能位置を示すアイコン１４０２が選択されることにより、移動対象画像ファイル１４０４の挿入位置がクライアント装置１０００に入力される。
【０１１０】
なお、本実施形態では、順序の連続する画像ファイルで挿入可否情報が異なっていれば、これらの画像ファイルの間は挿入不可とするものとする。例えば、Ｎ番目の画像ファイルＡが後挿入可で、Ｎ＋１番目の画像ファイルＢが前挿入不可であった場合には、画像ファイルＡと画像ファイルＢの間には新たな画像ファイルの挿入を禁止するものとする。
【０１１１】
しかし、これに限らず、例えば、順序が先の画像ファイルの挿入可否情報を採用する等のように予めルールを定めておき、それにしたがって決定するようにしてもよいことは言うまでもない。
【０１１２】
ステップＳ１２０９では、サーバ装置９００はユーザ操作により指定された移動対象となる画像ファイルの画像ＩＤおよび挿入位置をクライアント装置１０００から取得する。ステップＳ１２０９は並べ替え情報取得処理部９０９で実行される。
【０１１３】
クライアント装置１０００は、ステップＳ１２０８で送信された画面情報に基づき、サムネール画像の順番を変更して画像一覧画面に表示する。ステップＳ１２０９で表示される画像一覧画面は、図１４の画像一覧画面１４００と同様のデザインで、サムネール画像の順序が変更されたものとなる。
【０１１４】
ステップＳ１２１０では、サーバ装置９００はステップＳ１２０９で取得された情報を元に、各画像ファイルについて、順序情報保持部９０３に保持される順序情報テーブルの順序６０５に格納された値を変更する。ステップＳ１２１０は順序情報変更処理部９１０で処理される。
【０１１５】
ステップＳ１２１１では、サーバ装置９００は画像ファイルの並べ替えの終了指示をクライアント装置１０００から受信する。具体的には、ユーザにより画像一覧画面１４００の一覧表示ボタン１４０５が押下されると、クライアント装置１０００は終了指示をサーバ装置へ送信する。そして、本処理を終了する。
【０１１６】
以上のように本実施形態では、画像ファイルを挿入不可能な位置と可能な位置とで別の表示態様のアイコンによって示すようにした。これにより、ユーザは画像ファイルを挿入できない位置を明確に知ることができるので、不用な操作を抑えることができる。
【０１１７】
また、本実施形態によれば、画像ファイルの移動先を指定する前に挿入可能な位置がディスプレイ上に明示されるので、ユーザは試行錯誤しながら並べ替え操作をする必要が無くなり、効率的に作業を行うことができる。
【０１１８】
（他の実施形態）
なお、本発明は、画像ファイルに限らず、音声ファイル等であってもよい。
【０１１９】
また、本発明の目的は、上記実施形態の機能を実現するソフトウェアを記録した記憶媒体（記録媒体）をシステムまたは装置に供給し、そのシステムまたは装置のコンピュータ（ＣＰＵやＭＰＵ）が前記ソフトウェアを実行することでも達成される。この場合、記憶媒体から読み出されたソフトウェア自体が上記実施例の機能を実現することになり、そのソフトウェアを記憶した記憶媒体は本発明を構成する。
【０１２０】
また、前記ソフトウェアの実行により上記機能が実現されるだけでなく、そのソフトウェアの指示により、コンピュータ上で稼働するオペレーティングシステム（ＯＳ）などが実際の処理の一部または全部を行い、それによって上記機能が実現される場合も含む。
【０１２１】
また、前記ソフトウェアがコンピュータに接続された機能拡張カードやユニットのメモリに書き込まれ、そのソフトウェアの指示により、前記カードやユニットのＣＰＵなどが実際の処理の一部または全部を行い、それによって上記機能が実現される場合も含む。
【０１２２】
本発明を前記記憶媒体に適用する場合、その記憶媒体には、先に説明したフローチャートに対応するソフトウェアが格納される。
【図面の簡単な説明】
【０１２３】
【図１】本発明の一実施形態におけるデジタルカメラの構成を示した図である。
【図２】本発明の一実施形態におけるデジタルカメラの背面構成を示した図である。
【図３】本発明の一実施形態における画像並べ替え処理の手順を示したフローチャート図である。
【図４】本発明の一実施形態における画像一覧画面を示した図である。
【図５】本発明の一実施形態における画像一覧画面を示した図である。
【図６】本発明の一実施形態における順序情報テーブルを示した図である。
【図７】本発明の一実施形態における画像一覧画面を示した図である。
【図８】本発明の一実施形態における画像一覧画面を示した図である。
【図９】本発明の一実施形態におけるシステムのブロック図である。
【図１０】本発明の一実施形態におけるコンピュータ装置のブロック図である。
【図１１】本発明の一実施形態における画像並べ替え処理の手順を示したフローチャート図である。
【図１２】本発明の一実施形態における画像並べ替え処理の手順を示したフローチャート図である。
【図１３】本発明の一実施形態における画像一覧画面を示した図である。
【図１４】本発明の一実施形態における画像一覧画面を示した図である。
【符号の説明】
【０１２４】
７００  画像一覧画面
７０１  挿入位置アイコン
【図１】
2008097435.tif 000003
【図２】
2008097435.tif 000004
【図３】
2008097435.tif 000005
【図４】
2008097435.tif 000006
【図５】
2008097435.tif 000007
【図６】
2008097435.tif 000008
【図７】
2008097435.tif 000009
【図８】
2008097435.tif 000010
【図９】
2008097435.tif 000011
【図１０】
2008097435.tif 000012
【図１１】
2008097435.tif 000013
【図１２】
2008097435.tif 000014
【図１３】
2008097435.tif 000015
【図１４】
2008097435.tif 000016